(57)【要約】【課題】家具等が設置され、あるいは異なる間取りから空気の流れる状態が色々と変化する室内から、速やかに悪臭を除去する。【解決手段】動物用の脱臭装置は、脱臭剤２０を含むフィルタ２とファン３とをケース１に内蔵しており、ファン３で室内空気をフィルタ２に強制送風し、フィルタ２に通過させて脱臭する。ケース１は、自立できる四角柱状で、四角フレーム４の四隅の隅ロッド４Ａの間に周壁５を固定している。四角フレーム４は、上下の両端面を開口すると共に、上部と中間部の隅ロッド４Ａの間に周壁５を固定し、下部の隅ロッド４Ａの間を開口している。ケース１は、四角フレーム４の上部の内側を上部閉鎖室６としてフィルタ２を配設し、中間部の内側を中間閉鎖室７としてファン３を配設し、四角フレーム４の下部の隅ロッド４Ａの間の開口部を側部開口８として周囲の４方向に設けると共に、四角フレーム４の下端面の開口部を下端開口９としている。【選択図】図３
2008036332.tif 000002
【特許請求の範囲】
【請求項１】
脱臭剤(20)を含むフィルタ(2)と、このフィルタ(2)に空気を強制送風するファン(3)と、このファン(3)とフィルタ(2)とを内蔵するケース(1)とを備え、ファン(3)で室内空気をフィルタ(2)に強制送風し、空気をフィルタ(2)に通過させて脱臭する動物用の脱臭装置であって、
ケース(1)が、幅（Ｗ）に対する高さ（Ｈ）の比率を１以上であって３以下として自立できる四角柱状としており、このケース(1)は、四角柱の四隅に４本の隅ロッド(4A)を有する四角フレーム(4)と、この四角フレーム(4)の隅ロッド(4A)の間に固定している周壁(5)とからなり、
四角フレーム(4)は、上下の両端面を開口して、上部と中間部において隅ロッド(4A)の間に周壁(5)を固定して、下部の隅ロッド(4A)の間を開口しており、
四角フレーム(4)の上部に固定している周壁(5)の内側を上部閉鎖室(6)として、ここに脱着できるようにフィルタ(2)を配設しており、
四角フレーム(4)の中間部に固定している周壁(5)の内側を中間閉鎖室(7)としてここにファン(3)を配設しており、
四角フレーム(4)の下部であって周壁(5)の固定されない隣接する隅ロッド(4A)の間を開口部を側部開口(8)として周囲の４方向に設けており、さらに四角フレーム(4)の下端面の開口部を下端開口(9)としており、
中間閉鎖室(7)に設けたファン(3)は、吸入側をフィルタ(2)に連結して、排出側を側部開口(8)と下端開口(9)とに連結しており、
ファン(3)が吸入側に連結しているフィルタ(2)を透過するように、ケース(1)の上端の開口部から室内空気を吸入し、吸入した空気を下端開口(9)と側部開口(8)の両方から排出できるようにしてなる動物用の脱臭装置。
【請求項２】
中間閉鎖室(7)の底面に底板(12)を固定しており、この底板(12)にファン(3)が空気を吹き出す噴射口(13)を開口しており、ファン(3)が吸入した空気を噴射口(13)から下端開口(9)に向かって吹き出すようにしてなる請求項１に記載される動物用の脱臭装置。
【請求項３】
中間閉鎖室(7)が底板(12)の上方に区画室(14)を備え、この区画室(14)にファン(3)を設けている請求項２に記載される動物用の脱臭装置。
【請求項４】
周壁(5)が磨りガラスで、隅ロッド(4A)が木製ロッドである請求項１に記載される動物用の脱臭装置。
【請求項５】
ファン(3)がシロッコファンである請求項１に記載される動物用の脱臭装置。
【発明の詳細な説明】
【技術分野】
【０００１】
本発明は、犬やネコなどの動物臭が室内に漂うのを防止する動物用の脱臭装置に関する。
【背景技術】
【０００２】
動物用の脱臭装置は開発されている。（特許文献１参照）
【特許文献１】特開２００２−１２６０５４号公報
【発明の開示】
【発明が解決しようとする課題】
【０００３】
特許文献に記載される脱着装置を図１に示す。この図の動物用の脱臭装置は、上下に空気の噴射口３３と吸入口３４を設け、吸入口３３から吸入した空気をフィルタ３２で脱臭して噴射口３４から吹き出し、噴射口３３と吸入口３４との間にエアーカーテンを設けて、動物の排泄臭が外部に漏れない構造としている。この構造の脱臭装置は、噴射口と吸入口との間にエアーカーテンを設け、このエアーカーテンで区画される領域の悪臭を外部に漏らさないようにできるが、室内を移動する動物から発する独特の悪臭を除去できない。
【０００４】
室内に空気を強制送風する脱臭器を室内に設けて、室内に充満する動物臭を除去できる。ただ、従来の脱臭器は、室内全体に充満する動物臭を室内全体の空気から速やかに除去できない欠点がある。とくに、室内に種々の家具などがあって空気の流れを阻害する場合、室内全体の空気から動物臭を速やかに脱臭できない。それは、空気の吸入方向と排出方向が特定されているからである。たとえば、周囲から空気を吸入して上方に吹き出す脱臭器は、室内の床部に充満する空気に含まれる悪臭を速やかに脱臭できるが、アンモニア臭のように空気よりも軽い悪臭を速やかに脱臭できない。上方に吸入口を設けて室内空気を上方から吸入する脱臭は、空気よりも軽い悪臭を効率よく脱臭できるが、空気よりも重いメチルメルカブタンや硫化水素等の悪臭を速やかに脱臭できない。また、空気の吸入方向と排出方向を特定している脱臭器は、空気の流動方向を室内の状態で変更できず、家具などが設置され、あるいは間取りが異なることで、室内の形態が異なるあらゆる室内空気の悪臭を速やかに脱臭できない。
【０００５】
本発明は、この欠点を解決することを目的に開発されたものである。本発明の重要な目的は、家具等が設置され、あるいは異なる間取りから空気の流れる状態が色々と変化する室内から、速やかに悪臭を除去できる動物用の脱臭装置を提供することにある。
【課題を解決するための手段】
【０００６】
本発明の動物用の脱臭装置は、前述の目的を達成するために以下の構成を備える。
動物用の脱臭装置は、脱臭剤２０を含むフィルタ２と、このフィルタ２に空気を強制送風するファン３と、このファン３とフィルタ２とを内蔵するケース１とを備え、ファン３で室内空気をフィルタ２に強制送風し、空気をフィルタ２に通過させて脱臭する。ケース１は、幅（Ｗ）に対する高さ（Ｈ）の比率を１以上であって３以下として自立できる四角柱状としている。このケース１は、四角柱の四隅に４本の隅ロッド４Ａを有する四角フレーム４と、この四角フレーム４の隅ロッド４Ａの間に固定している周壁５とからなる。四角フレーム４は、上下の両端面を開口して、上部と中間部において隅ロッド４Ａの間に周壁５を固定して、下部の隅ロッド４Ａの間を開口している。ケース１は、四角フレーム４の上部に固定している周壁５の内側を上部閉鎖室６として、ここに脱着できるようにフィルタ２を配設している。さらに、ケース１は、四角フレーム４の中間部に固定している周壁５の内側を中間閉鎖室７としてここにファン３を配設している。さらにまた、ケース１は、四角フレーム４の下部であって周壁５の固定されない隣接する隅ロッド４Ａの間の開口部を側部開口８として周囲の４方向に設けており、さらに四角フレーム４の下端面の開口部を下端開口９としている。
【０００７】
中間閉鎖室７に設けたファン３は、吸入側をフィルタ２に連結して、排出側を側部開口８と下端開口９とに連結している。脱臭装置は、ファン３の吸入側に連結しているフィルタ２を透過するように、ケース１の上端の開口部から室内空気を吸入し、吸入した空気を下端開口９と側部開口８の両方から排出できるようにしている。
【０００８】
本発明の動物用の脱臭装置は、中間閉鎖室７の底面に底板１２を固定して、この底板１２にファン３が空気を吹き出す噴射口１３を開口し、ファン３が吸入した空気を噴射口１３から下端開口９に向かって吹き出すことができる。さらに、本発明の動物用の脱臭装置は、中間閉鎖室７が底板１２の上方に区画室１４を備えて、この区画室１４にファン３を設けることができる。
【０００９】
本発明の動物用の脱臭装置は、周壁５を磨りガラスとして、隅ロッド４Ａを木製ロッドとすることができる。さらに、本発明の動物用の脱臭装置は、ファン３をシロッコファンとすることができる。
【発明の効果】
【００１０】
本発明の動物用の脱臭装置は、家具等が設置され、あるいは異なる間取りから空気の流れる状態が色々と変化する室内から、速やかに悪臭を除去できる特徴がある。それは、本はの脱臭装置が、室内に設置する姿勢や場所を変更して、空気の吸入方向と排出方向を最適な状態に変更できるからである。
【発明を実施するための最良の形態】
【００１１】
以下、本発明の実施例を図面に基づいて説明する。ただし、以下に示す実施例は、本発明の技術思想を具体化するための動物用の脱臭装置を例示するものであって、本発明は脱臭装置を以下のものに特定しない。
【００１２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１３】
図２と図３に示す動物用の脱臭装置は、脱臭剤２０を含むフィルタ２と、このフィルタ２に空気を強制送風するファン３と、このファン３とフィルタ２とを内蔵するケース１とを備える。この脱臭装置は、ファン３で室内空気をフィルタ２に強制送風し、空気をフィルタ２に通過させて脱臭する。
【００１４】
ケース１は、全体の形状を四角柱状としている。この形状のケース１は、自立できるように、幅に対する高さの比率を１以上であって３以下としている。さらに、このケース１は、好ましくは正四角柱状とするが、必ずしも正四角柱状とする必要はない。このケース１は、幅を１０ｃｍ〜２０ｃｍとして、高さを１０ｃｍ〜６０ｃｍとしている。
【００１５】
図のケース１は、四角柱の四隅に４本の隅ロッド４Ａを配設する四角フレーム４に周壁５を固定している。四角フレーム４は、上下の両端面を開口して、隅ロッド４Ａの間に周壁５を固定している。周壁５は、隅ロッド４Ａの上部と中間部に固定している。隅ロッド４Ａの下部は周壁が固定されず、隅ロッド４Ａの下部においては、隅ロッド４Ａの間を開口している。
【００１６】
隅ロッド４Ａは、木を四角い柱状に加工している木製ロッドである。この隅ロッド４Ａの脱臭装置は、自然な美しい外観にできる。ただし、隅ロッドは、必ずしも木製ロッドとする必要はなく、アルミニウム等の金属ロッドやプラスチックロッドとすることもできる。さらに、図の四角フレーム４は、隅ロッド４Ａの間に格子４Ｂを固定している。格子４Ｂは、隅ロッド４Ａよりも細いロッドを格子状に連結したもので、周壁５の外側に固定している。格子４Ｂは、周壁５を外側から補強して保護すると共に、装飾となって美しい外観にできる。
【００１７】
ケース１は、四角フレーム４の上部に固定している周壁５の内側を上部閉鎖室６として、ここに脱着できるようにフィルタ２を配設している。上部閉鎖室６は、上下の両端を開口して、ここにセットされるフィルタ２に上から下に室内空気を透過させる。上部閉鎖室６は、底部にフィルタ２を支持する凸部１０を設けている。フィルタ２は、この凸部１０に載せられて、上部閉鎖室６にセットされる。さらに、上部閉鎖室６の上端にはフィルタ２が抜けるのを阻止するストッパ１１を設けている。図のストッパ１１は、ケース１の上端に水平面内で回転できるように連結している。このストッパ１１は、内側に突出するように回転して、フィルタ２が抜けるのを阻止する。フィルタ２を脱着するときには、ストッパ１１を内側から外側に回転させる。
【００１８】
隅ロッド４Ａの上部に四角筒状に固定される周壁５は、その内側に上部閉鎖室６を形成する。ここにセットされるフィルタ２は、外形を上部閉鎖室６の内形よりもわずかに小さくしている四角柱状としている。このフィルタ２は、ケーシング２１の内部に、脱臭剤２０として、室内空気に含まれる悪臭成分を吸着する吸着剤、あるいは悪臭成分を分解して脱臭する薬剤等を充填している。吸着剤には活性炭やゼオライトなどが使用される。薬剤にはアンモニアを分解するクエン酸等の酸性系の脱臭剤が使用される。フィルタ２のケーシング２１は、上下面を空気を通過できる不織布などの多孔質シート２２で閉塞して、内部に吸着剤や薬剤を充填している。薬剤は、紙等の微細な空隙を有するシートに含浸させ、このシートを空気を通過できるようにハニカム状、又は格子状に連結し、ハニカムや格子の間に空気を透過させる構造としてケーシング内に収納することもできる。この構造は、空気の通過抵抗を小さくして、空気をフィルタ２にスムーズに通過できる。活性炭などの粒状の吸着剤は、ケーシング２１内に充填して、その間にできる隙間に空気を通過させる。
【００１９】
四角フレーム４の中間部に固定している周壁５は、その内側を中間閉鎖室７として、ここにファン３を配設している。図の脱臭装置は、中間閉鎖室７の底面に水平に底板１２を固定している。底板１２は、中間閉鎖室７にセットされるファン３が吹き出す空気の噴射口１３を開口している。ファン３は、フィルタ２側から吸入した空気を、底板１２の噴射口１３からケース１の下端開口９に向かって吹き出す。この構造の脱臭装置は、室内につり下げられる状態で使用して、上部のフィルタ２から吸入した室内空気を、下に向かって噴射する。したがって、室内空気を上から下に送風しながら室内空気の悪臭を脱臭する。
【００２０】
中間閉鎖室７にセットされるファン３は、シロッコファンである。シロッコファンは回転する円筒状の羽根の中心に空気を吸入し、外周に加速して吹き出す。図の中間閉鎖室７は、底板１２の上方に区画室１４を設け、この区画室１４にシロッコファンを設けている。区画室１４の隔壁１５には吸入口１６を開口し、この吸入口１６をシロッコファンの吸入側に連結している。さらに、シロッコファンの吹き出し側は、底板１２の噴射口１３に連結している。ファン３は、隔壁１５の内側の区画室１４に配設し、隔壁１５の外側は上方を開口して、上部閉鎖室６に連結している。ファン３をシロッコファンとする脱臭送風は、ファン３の運転音を小さくしながら、室内空気を強制送風する送風を多くして、悪臭を速やかに脱臭する。ただし、ファンには、スクリュウ状の羽根を回転して、室内空気を強制送風する軸流ファンも使用できる。
【００２１】
四角フレーム４は、下部の周壁５を固定しない部分において、隣接する隅ロッド４Ａの間を開口して側部開口８とし、さらに下端面も開口して下端開口９としている。すなわち、ケース１は、周囲の４方向と下方の５面を開口している。
【００２２】
図に示す動物用の脱臭装置は、以下の状態で使用して、室内に充満する動物の悪臭を脱臭する。
（１）図４に示すように、脱臭装置を室内につり下げて使用する。この状態で使用される脱臭装置は、上面から室内空気を吸入し、フィルタ２で脱臭した空気を、下端の下端開口９と、四方に設けている側部開口８から室内に吹き出す。この使用状態は、脱臭装置を室内の上部、たとえば天井に近い部分に設置して、室内の上部に溜まるアンモニアなどの空気よりも軽い悪臭を効率よく吸入して脱臭できる。また、室内の天井付近に溜まる空気を吸入し、これを脱臭して下に吹き出すので、室内空気を脱臭しながら循環して、短時間に室内全体の空気をフィルタ２に通過できる。このため、この状態で脱臭装置を設置して、室内全体の室内空気から、室内に漂う空気よりも軽い悪臭を速やかに脱臭できる。
【００２３】
（２）図５に示すように、脱臭装置を上下反転する姿勢で室内につり下げて使用する。この状態で使用される脱臭装置は、室内の上部から室内空気を吸入し、フィルタ２で脱臭した空気を、上方に向けた下端開口９と、四方に設けている側部開口８から室内の上方に吹き出す。この使用状態は、脱臭装置で室内上部の空気のみを循環して、上部の空気の悪臭をさらに速やかに脱臭する。この使用状態は、室内全体の空気を循環させないので、室内の上部にのみ停滞する悪臭を極めて短時間に脱臭できる。
【００２４】
（３）図６に示すように、脱臭装置を床面２５に垂直に立てる姿勢で設置して、室内の下部に溜まる、空気よりも重い硫化水素やメチルメルカブタン等の悪臭を速やかに脱臭できる。この状態に設置された脱臭装置は、床面２５で下端開口９が閉塞される。したがって、上面から吸入した空気を、四方に設けている４つの側部開口８から床面２５に沿って吹き出す。この使用状態は、室内の底部に溜まる空気を吸入し、これを周囲に吹き出して、室内空気を循環させる。したがって、短時間に室内全体の底部に溜まる空気をフィルタ２に通過でき、スムーズに室内底部全体の空気をフィルタ２で脱臭できるる
【００２５】
（４）図７の脱臭装置は、横に倒す姿勢で床面２５に設置されて、室内底部の特定の領域に停滞する悪臭を速やかに脱臭する。この姿勢で設置される脱臭装置は、ひとつの側部開口８が床面２５で閉塞される。したがって、一方から室内空気を吸入し、吸入した空気をフィルタ２で脱臭して、下端開口９と３つの側部開口８から他方に吹き出す。この状態で使用される脱臭装置は、特定の方向から室内空気を吸入して、他方に排出する。この状態で強制送風される室内空気は、水平面内で循環される。循環する経路にフィルタ２を設けているので、循環する室内空気をフィルタ２を通過できる。したがって、この姿勢で室内に設置される脱臭装置は、室内の特定の領域に停滞する空気を、速やかに吸入し、これを脱着できる。
【００２６】
（５）さらに、図８の脱臭装置は、室内に設置される家具２６等の上に横にして設置する。この姿勢で設置される脱臭装置は、室内の特定の領域に停滞する悪臭を吸入し、これを脱臭して反対方向に吹き出す。この姿勢は、ひとつの側部開口８を家具２６の天板で閉塞して、吸入して脱臭した空気を水平方向から上に吹き出し、また、図９に示すように、４つの側部開口８を家具２６の天板で閉塞しないように、家具２６の上に載せて、吸入した空気を水平方向と周囲に吹き出すことができる。
【図面の簡単な説明】
【００２７】
【図１】従来の脱臭装置の断面図である。
【図２】本発明の一実施例にかかる動物用の脱臭装置の斜視図である。
【図３】図２に示す動物用の脱臭装置のＡ−Ａ線断面図である。
【図４】本発明の一実施例にかかる脱臭装置の使用例を示す概略図である。
【図５】本発明の一実施例にかかる脱臭装置の使用例の他の一例を示す概略図である。
【図６】本発明の一実施例にかかる脱臭装置の使用例の他の一例を示す概略図である。
【図７】本発明の一実施例にかかる脱臭装置の使用例の他の一例を示す概略図である。
【図８】本発明の一実施例にかかる脱臭装置の使用例の他の一例を示す概略図である。
【図９】本発明の一実施例にかかる脱臭装置の使用例の他の一例を示す概略図である。
【符号の説明】
【００２８】
１…ケース
２…フィルタ
３…ファン
４…四角フレーム        ４Ａ…隅ロッド
４Ｂ…格子
５…周壁
６…上部閉鎖室
７…中間閉鎖室
８…側部開口
９…下端開口
１０…凸部
１１…ストッパ
１２…底板
１３…噴射口
１４…区画室
１５…隔壁
１６…吸入口
２０…脱臭剤
２１…ケーシング
２２…多孔質シート
２５…床面
２６…家具
３２…フィルタ
３３…噴射口
３４…吸入口
【図１】
2008036332.tif 000003
【図２】
2008036332.tif 000004
【図３】
2008036332.tif 000005
【図４】
2008036332.tif 000006
【図５】
2008036332.tif 000007
【図６】
2008036332.tif 000008
【図７】
2008036332.tif 000009
【図８】
2008036332.tif 000010
【図９】
2008036332.tif 000011